(57)【要約】      （修正有）【課題】屋外において、太陽光発電システムの性能を簡便な設備でしかも正確にその性能を測定することができる太陽光発電システム評価装置、評価方法、及び、評価装置用プログラムを提供する。【解決手段】太陽電池パネルＳＰの近傍に配置された複数の照度センサ２と、パワーコントロールシステム（ＰＣＳ）１及、複数の照度センサ２と有線又は無線で接続され、それぞれから出力に基づいて前記太陽光発電システムの性能を評価する評価器３と、を備え、評価器３が、ＰＣＳ１から太陽電池パネルＳＰの出力を取得する出力取得部と、複数の照度センサ２で測定される照度測定値の一致度を算出する一致度算出部と、一致度が予め定められた許容範囲以内である場合に、出力取得部で取得された太陽電池パネルの出力が真の値であると判定する判定部とを備える。【選択図】図１
2018019567.tif 000002
【特許請求の範囲】
【請求項１】
複数の太陽電池セルからなる太陽電池パネルと、前記太陽電池パネルに接続され、ＭＰＰＴ制御を行うＰＣＳ（パワーコントロールシステム）と、からなる太陽光発電システムの性能を評価する太陽光発電システム評価装置であって、
前記太陽電池パネルの近傍に配置された複数の照度センサと、
前記ＰＣＳ及び前記複数の照度センサと有線又は無線で接続され、それぞれから出力に基づいて前記太陽光発電システムの性能を評価する評価器と、を備え、
前記評価器が、
前記ＰＣＳから前記太陽電池パネルの出力を取得する出力取得部と、
複数の前記照度センサで測定される照度測定値の一致度を算出する一致度算出部と、
前記一致度が予め定められた許容範囲以内である場合に、前記出力取得部で取得された太陽電池パネルの出力が真の値であると判定する判定部とを備えたことを特徴とする太陽光発電システム評価装置。
【請求項２】
前記照度センサが、
複数の太陽電池セルと、
前記複数の太陽電池セルのうちの少なくとも一部の出力を前記評価器へ無線で送信する無線通信機と、を備えた請求項１記載の太陽光発電システム評価装置。
【請求項３】
前記一致度算出部が、前記一致度として複数の前記照度センサで測定される照度測定値の差である照度差を算出するように構成されており、
前記判定部が、前記照度差が予め定められた許容差以下の場合に、前記出力取得部で測定される太陽電池パネルの出力を真の値であると判定するように構成されている請求項１又は２に記載の太陽光発電システム評価装置。
【請求項４】
複数の前記照度センサのサンプリングタイムが１ミリ秒以上１００ミリ秒以下に設定されている請求項１乃至３いずれかに記載の太陽光発電システム評価装置。
【請求項５】
前記出力取得部が、前記ＰＣＳ内に設けられた電流計と電圧計である請求項１乃至４いずれかに記載の太陽光発電システム評価装置。
【請求項６】
複数の太陽電池セルからなる太陽電池パネルと、前記太陽電池パネルに接続され、ＭＰＰＴ制御を行うＰＣＳ（パワーコントロールシステム）と、からなる太陽光発電システムの性能を評価する太陽光発電システム評価方法であって、
前記太陽電池パネルの近傍に配置された複数の照度センサにより各照度を取得する照度取得ステップと、
前記ＰＣＳから前記太陽電池パネルの出力を取得する出力取得ステップと、
複数の前記照度センサで測定される照度測定値の一致度を算出する一致度算出ステップと、
前記一致度が予め定められた許容範囲以内である場合に、前記出力取得ステップで取得された太陽電池パネルの出力が真の値であると判定する判定ステップとを備えたことを特徴とする太陽光発電システム評価方法。
【請求項７】
複数の太陽電池セルからなる太陽電池パネルと、前記太陽電池パネルに接続され、ＭＰＰＴ制御を行うＰＣＳ（パワーコントロールシステム）と、からなる太陽光発電システムの性能を評価する太陽光発電システム評価装置が、前記太陽電池パネルの近傍に配置された複数の照度センサと、前記ＰＣＳ及び前記複数の照度センサと有線又は無線で接続され、それぞれから出力に基づいて前記太陽光発電システムの性能を評価する評価器と、を備えたものであり、当該太陽光発電システム評価装置に用いられるプログラムであって、
複数の前記照度センサで測定される照度測定値の一致度を算出する一致度算出部と、
前記一致度が予め定められた許容範囲以内である場合に、前記評価器が取得した太陽電池パネルの出力が真の値であると判定する判定部としての機能をコンピュータに発揮させることを特徴とする太陽光発電システム評価装置用プログラム。
【発明の詳細な説明】
【技術分野】
【０００１】
本発明は、屋外に設けられた太陽光発電システムの性能を評価するための太陽光発電システム評価装置、評価方法、評価装置用プログラムに関するものである。
【背景技術】
【０００２】
太陽電池セルや複数の太陽電池セルからなる太陽電池パネルの性能を評価する場合、Ｉ−Ｖ特性を測定し、その結果に基づいて性能を評価することが行われている。
【０００３】
ところで、太陽電池セルのＩ−Ｖ特性は、例えば特許文献１の測定結果に示されるように太陽電池に照射される光の照度によって大きく変化する。このため、屋内の測定ではソーラーシミュレータにより太陽電池セルに照射される光の照度が１ｓｕｎで保たれるようにしてＩ−Ｖ特性の測定が行われる。このように１ｓｕｎの照度で測定されたＩ−Ｖ特性が太陽電池セルの標準試験条件におけるＩ−Ｖ特性であるとして取り扱われている。
【０００４】
一方、太陽電池パネルを１つ又は更に複数組み合わせて屋外に使用されている大型の太陽光発電システムについては、屋内に持ち込んだり、ソーラーシミュレータによって各太陽電池パネルの全面に均一な光を照射したりすることは難しいので、屋外において太陽光によりＩ−Ｖ特性の測定が行われている。
【０００５】
しかしながら、太陽光の照度は短時間であっても大きく変動し、１ｓｕｎ以外の条件でＩ−Ｖ特性が測定されることが多い。このため、例えば１ヶ月間のＩ−Ｖ特性を測定した結果について平均した値を太陽光発電システムの性能を示す値として代用している場合が多い。
【０００６】
したがって、屋内において１ｓｕｎで安定している照度条件を満たして測定された太陽電池セルの正確な性能評価と比較して、屋外で測定される太陽光発電システムの性能評価は照度がどうしても不安定となるため不正確なものとなっている。また、どの太陽光発電システムが実際に優れた性能を示しているかや、何らかの不具合が発生していないかどうか等を正確に評価することは現状では難しい。
【０００７】
さらに、太陽光発電システムについてＩ−Ｖ特性を正確に測定しようとすると、発電を止めた上で、日射量が変動していない極めて短い時間の間に電流の掃引を行わなくてはならない。したがって、測定のために大きな手間がかかってしまうという問題もある。
【先行技術文献】
【特許文献】
【０００８】
【特許文献１】特開２００４−２８１４８０号公報
【発明の概要】
【発明が解決しようとする課題】
【０００９】
本発明は上述したような問題を鑑みてなされたものであり、屋外での太陽光による測定であっても、太陽光発電システムの性能を簡便な設備でしかも正確にその性能を測定することができる太陽光発電システム評価装置、評価方法、及び、評価装置用プログラムを提供することを目的とする。
【課題を解決するための手段】
【００１０】
すなわち、本発明は本願発明者が鋭意検討を行った結果、快晴以外の天気であっても、太陽光の照度（日射量）が太陽光発電システムの性能を評価する上で問題とならない程度に安定し、かつ太陽電池パネル内、及び、太陽電池システム内の照度むらが小さい場合があることを発見し、快晴以外の天気においても精度よく性能を評価できる条件を見出したことにより初めてなされたものである。また、本発明は本願発明者が、上記の知見とともに太陽光発電システムが備える設備をうまく利用すれば、必ずしもＩ−Ｖ特性を測定しなくてもその性能を正確に評価できることを発見したことにより成し得たものである。
【００１１】
より具体的には、本発明の太陽光発電システム評価装置は、複数の太陽電池セルからなる太陽電池パネルと、前記太陽電池パネルに接続され、ＭＰＰＴ制御を行うＰＣＳ（パワーコントロールシステム）と、からなる太陽光発電システムの性能を評価する太陽光発電システム評価装置であって、前記太陽電池パネルの近傍に配置された複数の照度センサと、前記ＰＣＳ及び前記複数の照度センサと有線又は無線で接続され、それぞれから出力に基づいて前記太陽光発電システムの性能を評価する評価器と、を備え、前記評価器が、前記ＰＣＳから前記太陽電池パネルの出力を取得する出力取得部と、複数の前記照度センサで測定される照度測定値の一致度を算出する一致度算出部と、前記一致度が予め定められた許容範囲以内である場合に、前記出力取得部で取得された太陽電池パネルの出力が真の値であると判定する判定部とを備えたことを特徴とする。
【００１２】
ここで、ＭＰＰＴ（Maximum Power Point Tracking）制御とは気象条件等の変化で常に変動する最適動作点に追従しながら動作する制御方式のことを言う。例えば山登り法等のアルゴリズムにより、気象条件によらず前記太陽電池パネルの出力の最適動作点での出力が継続される。
【００１３】
このようなものであれば、前記出力取得部が、ＭＰＰＴ制御を行っている前記ＰＣＳから前記太陽電池パネルの出力を取得するので、常に最適動作点での出力を取得することができる。さらに、それぞれ別々の照度センサで測定される照度測定値が略同じ値を示しており、測定対象の太陽電池パネルに対して照射されている太陽光の照度（日射量）にムラがなく、安定している状態で測定された出力のみが前記判定部によって真の値であると判定される。
【００１４】
つまり、太陽光の照度が大きく変動している、あるいは、測定対象の太陽電池パネルの部位によって照度が大きく異なっていたりする場合にはその太陽電池パネルが出力できる本来の出力ではないとして採用せず、日射量が変動している場合でも快晴時と略同等の精度で測定された出力のみをその太陽電池パネルの本来の出力として採用できる。すなわち、本発明であれば、Ｉ−Ｖ特性を測定しなくても太陽光発電システムの最大動作点を見つけることができ、簡便な測定装置だけでも太陽光発電システムについて正確な性能評価を実現できる。
【００１５】
また、快晴時以外の日射量が変動している天気であっても太陽光により太陽光発電システムの出力を高精度に測定する事が可能となるので、天気について条件が緩やかになるため、測定機会も十分に得られる。
【００１６】
大規模な太陽光発電システムであっても、太陽電池パネルの全域で照度が性能評価を行うのに適した均一性が実現されている瞬間を捉えることができるようにしつつ、その配線等の手間を省くことができるようにするには、前記照度センサが、複数の太陽電池セルと、前記複数の太陽電池セルのうちの少なくとも一部の出力を前記評価器へ無線で送信する無線通信機と、を備えていればよい。このようなものであれば、太陽電池セルの出力で現在の照度を測定するとともに前記評価器へ照度に関するデータを送信するために必要な電力を自身で賄うことができる。
【００１７】
前記太陽電池パネルの全域に太陽光が均一に照射され、例えば性能を評価できる所定の条件が整っているかどうかを簡単な演算で検定できるようにするには、前記一致度算出部が、前記一致度として複数の前記照度センサで測定される照度測定値の差である照度差を算出するように構成されており、前記判定部が、前記照度差が予め定められた許容差以下の場合に、前記出力取得部で測定される太陽電池パネルの出力を真の値であると判定するように構成されていればよい。
【００１８】
天候の変化による測定対象の太陽電池パネル上における照度ムラを複数の照度センサの照度測定値から精度よく検出できるようにして、前記判定部における判定精度を向上させるには、複数の前記照度センサのサンプリングタイムが１０ミリ秒以内に設定されており、各照度センサでの照度測定が時間的に同期するように構成されていればよい。このようなものであれば、照度センサによって太陽光の照度変化を十分に把握できるとともに、各照度センサの測定タイミングがずれないようにして照度ムラの影響のみが前記一致度に表れるようにすることができる。
【００１９】
複数の前記照度センサで測定される照度測定値を照度ムラの有無の判定だけでなく、出力の測定中における太陽光の照度の変動による影響を高精度に補正するために前記照度測定値を用いることができるようにするには、複数の前記照度センサのサンプリングタイムが１ミリ秒以上１００ミリ秒以下に設定されていればよい。
【００２０】
前記太陽電池パネルの出力として最大動作点での発電電力を正確に測定できるようにするには、前記出力取得部が、前記ＰＣＳ内に設けられた電流計と電圧計であればよい。
【００２１】
複数の太陽電池セルからなる太陽電池パネルと、前記太陽電池パネルに接続され、ＭＰＰＴ制御を行うＰＣＳ（パワーコントロールシステム）と、からなる太陽光発電システムの性能を評価する太陽光発電システム評価方法であって、前記太陽電池パネルの近傍に配置された複数の照度センサにより各照度を取得する照度取得ステップと、前記ＰＣＳから前記太陽電池パネルの出力を取得する出力取得ステップと、複数の前記照度センサで測定される照度測定値の一致度を算出する一致度算出ステップと、前記一致度が予め定められた許容範囲以内である場合に、前記出力取得ステップで取得された太陽電池パネルの出力が真の値であると判定する判定ステップとを備えたことを特徴とする太陽光発電システム評価方法を用いれば、Ｉ−Ｖ測定を行わなくても屋外の太陽光発電システムについて太陽光によりその性能を正確に評価することができる。
【００２２】
複数の太陽電池セルからなる太陽電池パネルと、前記太陽電池パネルに接続され、ＭＰＰＴ制御を行うＰＣＳ（パワーコントロールシステム）と、からなる太陽光発電システムの性能を評価する太陽光発電システム評価装置が、前記太陽電池パネルの近傍に配置された複数の照度センサと、前記ＰＣＳ及び前記複数の照度センサと有線又は無線で接続され、それぞれから出力に基づいて前記太陽光発電システムの性能を評価する評価器と、を備えたものであり、当該太陽光発電システム評価装置に用いられるプログラムであって、複数の前記照度センサで測定される照度測定値の一致度を算出する一致度算出部と、前記一致度が予め定められた許容範囲以内である場合に、前記評価器が取得した太陽電池パネルの出力が真の値であると判定する判定部としての機能をコンピュータに発揮させることを特徴とする太陽光発電システム評価装置用プログラムを用いれば、太陽電池パネルの全域において太陽光が均一に照射され、照度ムラが十分に小さい時点を見つけ出し、その時の太陽電池パネルの出力を最大動作点での出力として取得する事が可能となる。
【発明の効果】
【００２３】
このように本発明の太陽光発電システム評価装置によれば、複数の照度センサを備え、各照度センサで測定される照度の一致度が許容範囲内にある場合に、前記出力取得部において前記ＰＣＳから取得される出力が真の値であると判定するように構成されているので、太陽光の照度（日射量）が安定しており、太陽電池パネル全体に太陽光がほぼ均一に照射されて本来の出力が正確に反映されているデータだけを選択的に採用することができる。
【００２４】
したがって、従来であれば照度変化を考慮して多数の出力に関するデータを平均化していたため正確な本来の特性を評価することができなかったところ、本発明に係る太陽光発電システムであれば、正確な評価を行うことが可能となる。
【００２５】
しかも、Ｉ−Ｖ特性の測定のように太陽電池パネルに対して電流の掃引を行う必要がないので測定装置の構成を簡便なものであり、かつ、既存の設備に付け足すだけでも正確な評価が可能となる。
【図面の簡単な説明】
【００２６】
【図１】本発明の一実施形態に係る太陽光発電システム評価装置を示す模式図。
【図２】同実施形態における照度センサの外観を示す模式的斜視図。
【図３】同実施形態における太陽光発電システム評価装置の模式的機能ブロック図。
【図４】同実施形態における照度センサと日射計及び高速日射計との応答速度の比較。
【発明を実施するための形態】
【００２７】
本発明の一実施形態に係る太陽発電システム評価装置１００について各図を参照しながら説明する。
【００２８】
本実施形態の太陽光発電システム評価装置１００は、図１に示すように複数の太陽電池セルからなる太陽電池パネルＳＰと、前記太陽電池パネルＳＰをＭＰＰＴ制御によりその動作を制御するＰＣＳ１（パワーコントロールシステム）と、を備えた太陽発電システムの特性を評価するためのものである。より具体的には前記太陽発電システム評価装置１００は、太陽発電システムが太陽光の照度変化が有ったとしても最大動作点を追従するように発電が行われていることを前提として、屋外における性能評価を行うためのものである。
【００２９】
すなわち、前記太陽光発電システム評価装置１００は図１に示すように前記太陽電池パネルＳＰの周囲に配置された複数の照度センサ２と、各照度センサ２の出力と、前記ＰＣＳ１で取得される情報に基づいて前記太陽光発電システムの性能を評価する評価器３と、を備えたものである。
【００３０】
前記照度センサ２は、例えば各太陽電池パネルＳＰの近傍に設けてあり、各照度センサ２間の出力と位置関係に基づいて太陽電池パネルＳＰを構成する各太陽電池セル上の照度を測定又は推定できるように配置してある。すなわち、前記照度センサ２同士の間における太陽光の照度は、算術平均値や比例演算等により所定の精度で算出できるようにしてある。なお、図１では６つの照度センサ２を示しているが、以下の説明では説明の便宜上、設置場所の異なる照度センサ２を区別して説明する場合には、第１の照度センサ２、第２の照度センサ２と記載している。
【００３１】
前記照度センサ２は、図２に示すように直方体状のケーシング２１表面に９つの太陽電池セル２２を露出させてアレイ状に配置してある。また、前記照度センサ２は前記評価器３との間で無線通信により前記太陽電池セル２２の出力をデータとして前記評価器３に送信するように構成した無線通信機（図示しない）を備えている。この照度センサ２において９つの太陽電池セル２２のうち、中央部分の太陽電池セル２２はその発電量から照度へ変換される照度算出用のものであり、他の８つの太陽電池セル２２は前記無線通信機等を駆動するための電力を供給する。
【００３２】
このように太陽電池セル２２を用いた照度センサ２は、前記太陽電池パネルＳＰの傾斜角とほぼ同じ傾斜角で配置してあり、前記太陽電池パネルＳＰの設置状態とほぼ同じになるようにしてある。また、図４のグラフに示すように第２の照度センサ２（実質的に太陽電池パネルＳＰの出力として扱うこともできる）の出力に対する、日射計、高速日射計、本実施形態の第１の照度センサ２の出力の比を示したものである。図４のグラフから分かるように通常の屋外測定時に用いられる日射計や高速日射計と比較すると本実施形態の第１の照度センサ２は、太陽電池パネルＳＰの出力に対してほぼ遅延無く追従している。日射計や高速日射計を用いた場合には遅延が生じるため、ある時点において前記ＰＣＳ１から出力されている電力に対応する日射量を正確に得ることが難しく、例えば日射量に応じて測定された値を補正して真の値を得ることが難しい。一方、本実施形態の照度センサ２で測定される照度を用いれば、前記太陽電池パネルＳＰからの出力と日射量との関係を正確に把握して、太陽光発電システムの本来の特性を評価することが可能となる。
【００３３】
前記評価器３は、ハードウエアとして前記ＰＣＳ１に設けられる電流計及び電圧計からなる出力取得部３１と、各種演算を行うコンピュータと、を備えたものである。前記評価器３は前記コンピュータのメモリに格納されている太陽光電発電システム評価プログラムが実行されることにより、各種機器と協業し、前記ＰＣＳ１と前記照度センサ２の出力に基づいて前記太陽光発電システムの評価を実行するものである。そして、本実施形態では前記コンピュータにより少なくとも測定値一時記憶部３２、一致度算出部３３と、判定部３４としての機能を発揮するように構成してある。
【００３４】
前記出力取得部３１は、前記ＰＣＳ１内の回路に設けられたシャントを介して電流及び電圧を測定し、前記太陽電池パネルＳＰから出力されている電力を測定するものである。なお、本実施形態では前記出力取得部３１を構成する電流計及び電圧計は有線で前記評価器３と接続してあるが、前記照度センサ２と同様に無線により電力の測定データを送信するようにしても構わない。なお、前記ＰＣＳ１はＭＰＰＴ制御により最大動作点で前記太陽電池パネルＳＰが動作するように制御を常に行っているので、前記出力取得部３１で測定される電力の値は、その時点の照度における最大動作点での電力であると考えられる。
【００３５】
前記測定値一時記憶部３２は、前記出力取得部３１で測定された電力の測定データを時系列データとして一時記憶するものである。
【００３６】
前記一致度算出部３３、及び、前記判定部３４は前記出力取得部３１で測定された電力が評価を行うのに適した太陽光の照射条件を満たしているかどうかを判定し、測定条件が満たされていた電力の測定データを本来の性能が反映された真の値であると判定するためのものである。
【００３７】
すなわち、前記一致度算出部３３は、複数の前記照度センサ２で測定される照度測定値の一致度を算出するものである。より具体的には、前記一致度算出部３３は例えば、各照度センサ２から出力される照度の時系列データがどの程度一致しているかを示す一致度を算出するものである。
【００３８】
本実施形態では、前記一致度算出部３３はある１つの照度センサ２から出力された照度データを基準として、その他の照度センサ２から出力される照度データの各時刻における照度差を算出するように構成してある。照度差は例えば基準の照度に対して他の照度が何％の照度差を有しているかを示すように算出してある。
【００３９】
前記判定部３４は、基準のとなる照度センサ２から出力されている照度が所定の条件を満たすとともに、前記一致度が予め定められた許容範囲以内である場合に、前記出力取得部３１により前記ＰＣＳ１を介して測定される電力を真の値であると判定し、最終結果として出力するように構成してある。
【００４０】
本実施形態では、前記判定部３４は、前記測定値一時記憶部３２に記憶されている電力の時系列データにおいて、それぞれの照度差が許容照度差である１％以内である時に測定されたものを真の値であると判定し、最終結果として出力するように構成してある。すなわち、各照度センサ２で測定されている照度にほとんど違いが存在せず、前記太陽電池パネルＳＰ上に照度ムラが発生していない場合に前記太陽電池パネルＳＰが本来の出力を出すことができる測定条件が満たされたと判定し、そのときの電力が真の値として判定される。
【００４１】
このような判定条件を前記判定部３４で設定している理由は以下の通りである。太陽光の照度変化に対する応答速度が十分に速い照度センサ２を用いていても、１％以上の照度差が発生することがある。すなわち、照度センサ２は同じものであるので、このような照度差は応答速度の違いにより生じているものではなく、各照度センサ２が配置されている場所の違いによって太陽電池パネルＳＰ上における太陽光の照度ムラが反映されているものであると考えられる。そして照度差が１％より大きい場合にはＪＩＳやＩＥＣで定められている太陽電池を評価するための照度ムラの要件を満たさないので、このような測定条件で測定された電力については最終結果として採用されないように前記判定部３４を構成してある。
【００４２】
このように構成された本実施形態の太陽光発電システム評価装置１００の効果について説明する。
【００４３】
本実施形態の太陽光発電システム評価装置１００では、各照度センサ２で測定される照度差が１％以内である場合に前記ＰＣＳ１を介して測定された前記太陽電池パネルＳＰの出力を真の値として判定するように前記判定部３４が構成してあるので、太陽電池パネルＳＰ上にほとんど照度ムラが無い状態で測定された電力のみを最終結果として出力することができる。
【００４４】
従来であれば屋外に設置された大規模な太陽光発電システムでは太陽光の照射条件が一定に保たれていないと考えられており、１か月等の長期間の出力の平均値を出力特性として使用していたので、かえって正確な評価を行うことが難しかった。これに対して本実施形態の太陽光発電システム評価装置１００であれば、太陽光発電システムの設置場所と気候条件によらず、例えば１ｓｕｎで前記太陽電池パネルＳＰ上にほとんど照度ムラがない状態での電力を取得でき、各太陽光発電システムについて同じ基準での比較が可能となる。
【００４５】
また、前記ＰＣＳ１がＭＰＰＴ制御により前記太陽電池パネルＳＰが最大動作点で発電動作していることを前提とし、そのときの値を用いているので、性能の評価のためにＩ−Ｖ特性を実測する必要がない。したがって、複雑な測定設備を前記太陽光発電システムに導入する必要がなく、さらにはＩ−Ｖ特性を測定するために発電を停止する必要もない。したがって、既存の太陽光発電システムに対して前記評価器３を後付けするだけで様々な規格に定められた測定条件で発電能力を定量的に評価することが可能となる。
【００４６】
また、従来の日射計や高速日射計を用いたＩ−Ｖ特性の測定方法では長時間日射が安定している快晴時にしか測定機会を得ることができず、年間で数十日程度しか屋外での太陽光によるＩ−Ｖ特性の測定を行えなかった。一方、本実施形態であれば高精度で本来の発電能力を評価できるようにしつつ、３００日程度の測定機会を得ることができる。
【００４７】
その他の実施形態について説明する。
【００４８】
前記実施形態では測定対象の太陽電池パネルＳＰは４つであったが、この数や大きさについては特に限定されない。
【００４９】
前記実施形態では一致度については各照度の照度差に基づいて算出していたが、例えば各照度の平均値からの差、各照度の比等様々な値に基づいて算出してもよい。要するに一致度は各照度を比較して各照度のズレを反映する値であればよい。
【００５０】
また、照度センサ２については複数設けてあればよく、太陽電池パネルＳＰの数や大きさに応じて設ければよい。すなわち、太陽電池パネルＳＰ上における照度ムラをより正確に評価し、測定された出力が真の値であるかどうか前記判定部３４でより正確に判定する事が可能となる。また、照度センサ２の応答速度は太陽電池の出力よりも速いものであってもよい。さらに、照度センサ２は照度、又は、太陽電池パネルＳＰの発電電力の測定値について温度補償するための温度センサをさらに備えたものであってもよい。なお、温度センサは太陽電池パネルＳＰの裏面に設けてもよい。
【００５１】
前記出力取得部３１で取得するのは電力ではなく、例えば電流や電圧だけであってもよい。
【００５２】
前記判定部３４における判定条件は前記実施形態に示したものに限られず、さらに別の判定条件を加えても構わない。照度の所定条件については適宜設定すればよい。例えばＩ−Ｖ特性の測定の前提となる１ｓｕｎのような厳しい条件を設定して厳密な特性のみを抽出できるようにしてもよい。また、０．８ＳＵＮや０．６ＳＵＮ等で照度が安定していることを条件とした場合でも例えば補正演算により正確な太陽電池パネルＳＰの出力を評価できる。
【００５３】
より具体的には、前記判定部３４が前記太陽電池パネルＳＰの発電期間内における前各照度センサ２で測定される照度の変化量がそれぞれ予め定められた許容変化量以内の場合に、前記出力取得部で測定される出力を真の値であると判定するように構成されていてもよい。このようなものであれば、太陽光の照度に大きな変化があった場合にはその時の電力等の出力を測定結果として採用しないようにして、精度を高めることができる。
【００５４】
さらに、前記判定部３４が、測定される各照度が許容照度範囲以内の場合に、前記出力取得部３１で測定される太陽電池パネルＳＰの出力を真の値であると判定するように構成されてもよい。例えば全ての照度センサ２で測定される照度が１ｓｕｎ近傍の値である場合のみ太陽電池パネルＳＰの出力を真の値であると判定されるようにしてもよい。このようなものであれば、測定の前提条件となる照度が得られていない場合に測定されたデータを除外し、信頼できる値のみを考慮する事が可能となる。
【００５５】
その他、本発明の趣旨に反しない限りにおいて様々な実施形態の変形や組み合わせを行っても構わない。
【符号の説明】
【００５６】
１００・・・太陽光発電システム評価装置
１    ・・・ＰＣＳ
２    ・・・照度センサ
２１  ・・・ケーシング
２２  ・・・太陽電池セル
３    ・・・評価器
３１  ・・・出力取得部
３２  ・・・測定値一時記憶部
３３  ・・・一致度算出部
３４  ・・・判定部
【図１】
2018019567.tif 000003
【図２】
2018019567.tif 000004
【図３】
2018019567.tif 000005
【図４】
2018019567.tif 000006